(57)【要約】【目的】室内に配置して場所を取らず、高い装飾効果が得られる簡易構造のインテリア空調装置を提供する。【構成】空調用循環液Ｌを貯える貯液槽１２と、その貯液槽１２上に直立状に設けられる液体ガイド４と、貯液槽１２内に貯えられた空調用循環液Ｌを液体ガイド４の上部まで汲み上げるためのポンプ１５とを備え、そのポンプ１５により汲み上げられた空調用循環液Ｌが液体ガイド４の表面を這って貯液槽１２内に流下する構成のインテリア空調装置である。特に、液体ガイド４は光透過性を有する板材で成り、その端面を臨む位置には照明用光源２２が配置される。【選択図】図１
2007085677.tif 000002
【特許請求の範囲】
【請求項１】
空調用循環液を貯える貯液槽と、その貯液槽上に直立状に設けられる板状又は筒状の液体ガイドと、前記貯液槽内に貯えられた空調用循環液を液体ガイドの上部まで汲み上げるためのポンプとを備え、そのポンプにより汲み上げられた空調用循環液が液体ガイドの表面を這って貯液槽内に流下する構成としたことを特徴とするインテリア空調装置。
【請求項２】
液体ガイドに照明光を照射する照明用光源を備えることを特徴とする請求項１記載のインテリア空調装置。
【請求項３】
照明用光源が赤、青、緑の光の合成により発光色を変化させることのできるフルカラーＬＥＤで成ることを特徴とする請求項２記載のインテリア空調装置。
【請求項４】
液体ガイドが光透過性を有する部材で成り、該液体ガイドの端面を臨む位置に照明用光源が配置されていることを特徴とする請求項２、又は３記載のインテリア空調装置。
【請求項５】
液体ガイドの下端が貯液槽内の液面よりも高くなる設定とされていることを特徴とする請求項１〜４記載のインテリア空調装置。
【発明の詳細な説明】
【技術分野】
【０００１】
本発明は、インテリアとして兼用される空調装置に係わり、特に室内に配置して高い装飾効果を得ることのできる簡易構造のインテリア空調装置に関する。
【背景技術】
【０００２】
一般に、空調装置は空気冷却器、空気加熱器、加湿器、エアフィルタ、及び送風機等から構成されるが、それはケーシング内に一体的に組み込まれるだけであるから、高い空調性能を有しても装飾効果はなく、寧ろ室内の美観を損ねてしまう存在であった。
【０００３】
そこで、上部液溜めと、液体の流れる液体流路と、その液体を捕集する下部液体槽とを備え、その下部液体槽と上部液溜めを、液移送ポンプを配備した配管により結んで液体循環系を構成し、その循環系に熱源設備を介在して液体を冷却又は加熱せしめる手段とするほか、冷却又は加熱された液体が流れる液体流路を空調空間に露出して設置した構成の空調装置が提案されている（例えば、特許文献１）。
【０００４】
【特許文献１】特開平８−１２８６７９号公報
【発明の開示】
【発明が解決しようとする課題】
【０００５】
然しながら、特許文献１の空調装置によれば、階段状又は直線状とされる液体流路を加熱冷却された液体が流れるようにしていることから、インテリアとしての効果を得られるものの、階段状又は直線状とされる液体流路の存在により装置全体が大型となり、設置に際して場所を取るという難点がある。
【０００６】
又、特許文献１では、階段状又は直線状とされる液体流路に加熱冷却された液体が流されるだけなので、インテリアとしての装飾効果も不十分である。
【０００７】
本発明は、以上のような事情に鑑みて成されたものであり、その目的は室内に配置して場所を取らず、高い装飾効果が得られる簡易構造の空調装置を提供することにある。
【課題を解決するための手段】
【０００８】
上記目的を達成するため、本発明に係る空調装置は、空調用循環液を貯える貯液槽と、その貯液槽上に直立状に設けられる板状又は筒状の液体ガイドと、前記貯液槽内に貯えられた空調用循環液を液体ガイドの上部まで汲み上げるポンプとを備え、そのポンプにより汲み上げられた空調用循環液が液体ガイドの表面を這って貯液槽内に流下する構成としたことを特徴とする。
【０００９】
加えて、液体ガイドに照明光を照射する照明用光源を備えることを特徴とし、更にその照明用光源が赤、青、緑の光の合成により発光色を変化させることのできるフルカラーＬＥＤで成ることを特徴とする。
【００１０】
又、液体ガイドが光透過性を有する部材で成り、該液体ガイドの端面を臨む位置に照明用光源が配置されていることを特徴とする。
【００１１】
更に、液体ガイドの下端が貯液槽内の液面よりも高くなる設定とされていることを特徴とする。
【発明の効果】
【００１２】
本発明に係るインテリア空調装置によれば、貯液槽内に貯えられた空調用循環液がポンプで汲み上げられ、これが液体ガイドの表面を這って貯液槽内に流下するようにしていることから、気温の高い夏季などには循環液の気化熱により室内の空気を冷却し、空気が乾燥する冬季などには室内を加湿することができ、しかも液体ガイドの表面を這って流下する循環液により優れた装飾効果を演出できる。
【００１３】
特に、液体ガイドが板状又は筒状にして貯液槽上に直立状に設けられることから、装置全体がコンパクトになり、設置に際して場所を取らない。
【００１４】
加えて、液体ガイドに照明光を照射する照明用光源を備えることから、液体ガイドの表面を流下する循環液が照明光に映え、暗所においては幻想的な装飾効果（イルミネーション効果）を演出できる。
【００１５】
更に、照明用光源がフルカラーＬＥＤで成ることから、発光色を変化させることでイルミネーション効果が一段と上がる。
【００１６】
又、液体ガイドが光透過性を有する部材で成り、その端面を臨む位置に照明用光源が配置されることから、液体ガイドを全体的に光られることができ、これによりイルミネーション効果が更に上がる。
【００１７】
又、液体ガイドの下端が貯液槽内の液面よりも高くなる設定とされていることから、液体ガイドの下端から貯液槽の液面に循環液が落ち込んで微弱ながらもマイナスイオンが発生し、これにより肉体的、精神的な癒し効果が得られ、循環液の落ち込みにより発生する音により聴感上のリラクゼーション効果も得られる。
【発明を実施するための最良の形態】
【００１８】
以下、図面に基づいて本発明を詳しく説明する。図１は、本発明に係るインテリア空調装置の好適な態様を示した斜視図である。図１において、１は装置本体を構成するベースであり、その前面は操作部２とされ、その操作部２には操作スイッチ類３が配される。
【００１９】
尚、本例において、操作スイッチ類３は、後述するポンプを起動させるための主電源スイッチ３Ａと、後述する照明用光源を点灯させるための照明スイッチ３Ｂと、その光源の光色変換を行うための調光用切換スイッチ３Ｃとで構成される。
【００２０】
又、図１において、４はベースにより支持される液体ガイド（本例において平板状のパネル）である。この液体ガイド４は、アクリル板をはじめとする無色透明乃至は乳白色などとされる半透明の合成樹脂、あるいはガラスから形成される光透過性の部材で成り、これにはその表面（表裏両面）に沿って空調用循環液が流される。
【００２１】
５は液体ガイドを縁取る枠体であり、この枠体５は液体ガイド４の両側縁を覆う左右一対のサイドフレーム５Ａと、液体ガイド４の上縁を覆うトップフレーム５Ｂと、液体ガイド４の下縁を覆うボトムフレーム５Ｃとで構成される。尚、それらフレーム５Ａ，５Ｂ，５Ｃは、ステンレスなどのように遮光性と耐食性とを有する部材から形成される。
【００２２】
図２は、係る装置の斜視分解図である。この図で明らかなように、ベース１は前面に上記操作スイッチ類３を配した横長の外箱１１、その内部に収容される横長の貯液槽１２、及び外箱１１の上端開口部を閉鎖する一対の天蓋１３から構成される。
【００２３】
尚、天蓋１３は外箱１１にネジ止めされるもので、内部点検時にはこれを容易に取り外すことができる。又、貯液槽１２も天蓋１３の取り外しにより外箱１１内から取り出してこれを個別に清掃できるようにしてある。
【００２４】
特に、貯液槽１２の内壁面にはコ字形の金具を固着して成るガイド支持部１４が設けられ、そのガイド支持部１４にサイドフレーム５Ａの下端を嵌合せしめることにより、液体ガイド４が貯液槽１２上に直立状に設けられる構成としてある。このため、ガイド支持部１４からサイドフレーム５Ａを抜き取るだけで液体ガイド４と貯液槽１２とを分離し、それらを個別に梱包することができる。
【００２５】
図３は、ベース１と液体ガイド４を組み上げた使用状態におけるベース１の横断面を示す。この図に示すように、貯液槽１２内には空調用循環液Ｌが貯められる。この循環液Ｌには通常の水（常温水）が用いられるが、これに水溶性の着色剤（例えばインキ）を混合して着色するようにしてもよい。又、貯液槽１２内に氷を入れて夏場に循環液Ｌを冷却したり、貯液槽１２内にヒータを設けて冬場に循環液Ｌを加熱したりすることも効果的である。
【００２６】
１５は、貯液槽１２内に貯めた循環液Ｌを液体ガイド４との間で循環させるポンプであり、本例では係るポンプ１５が水中ポンプとして貯液槽１２内に配置される。特に、ポンプ１５の振動音が周囲に拡散せぬよう、ゴム製の吸盤等から成る防振具１６を介してポンプ１５を貯液槽１２に固定するようにしている。
【００２７】
そして、本発明によれば、貯液槽１２内の循環液Ｌがポンプ１５により液体ガイド４の上部まで汲み上げられ、これが液体ガイド１４の表面を這って貯液槽１２内に流下するという循環系が構成される。
【００２８】
ここで、図３のように一対の天蓋は１３その相互間に液体ガイド４を介在させる開口部を形成するが、天蓋１３のエッジと液体ガイド４の表面との間にはスリット状の間隙Ｓ１が形成され、これにより循環液Ｌの通過が許容されるようにしてある。特に、開口部を形成する天蓋１３のエッジは上方に湾曲されて半円状の凸条１３Ａを形成し、これにより貯液槽１２内に流下した循環液Ｌの外部飛散が防止されるようになっている。
【００２９】
又、図３から明らかなように、貯液槽１２はその前後の幅が外箱より小さく設定され、これにより外箱１１に配した操作スイッチ類３に対する貯液槽１２の干渉が防止されるほか、外箱１１に対する貯液槽１２の出し入れが容易とされる。尚、外箱１１の底面には貯液槽１２との間で図示せぬ排液口が穿設され、これにより貯液槽１２内の循環液Ｌが万一オーバーフローした場合でも操作スイッチ類３の電気接点部などがショートしないようにしてある。
【００３０】
次に、図４は循環液の循環系を示す。図４において、１７は液体ガイド４の端面に沿って枠体５内に通される送液管であり、その一端はバルブ１８を介してポンプ１５の吐出口に接続されると共に、送液管１７の末端はノズル管１９として液体ガイド４の上端面に沿ってトップフレーム５Ｂ内に固定される。又、ノズル管１９にはその長さ方向に沿って所定の間隔で図示せぬ孔が穿設されており、その各孔から噴出した循環液が液体ガイド４の表面に沿って流下するようになっている。尚、２０はノズル管１９を固定する扁平な固定金具である。
【００３１】
一方、バルブ１８は、循環液を送液管１７とバイパス管２１との二系統に分流させることのできる三方弁で、その両系統の開度調整により送液管１７を通じて液体ガイド４の上部に汲み上げられる循環液の流量調整を可能とする流量調整手段が構成される。
【００３２】
特に、バイパス管２１の一端は、貯液槽１２内の液面ｆ上に開口するよう上部に向けられ、これによりパイパス管２１に分流された循環液が貯液槽１２内で噴水状に放出されるようにしてある。このため、ポンプ１５の駆動音をかき消すことができるほか、微弱ながらもマイナスイオンが発生して肉体的、精神的な癒し効果が得られ、しかも循環液の落ち込みにより発生する音により聴感上のリラクゼーション効果が得られる。
【００３３】
又、図５から明らかなように、液体ガイドの下端４Ａ（ボトムフレーム５Ｃ）は貯液槽１２内の液面ｆよりも高くなる設定とされている。これにより、液体ガイド４の下端４Ａ（ボトムフレーム５Ｃ）からも貯液槽１２の液面ｆに所定の落差ｈをもって循環液が落ち込むようになり、このため微弱ながらもマイナスイオンが発生して肉体的、精神的な癒し効果が得られ、循環液の落ち込みにより発生する音により聴感上のリラクゼーション効果も得られる。
【００３４】
図６は本発明に係る装置の使用状態を示した正面図であり、図７及び図８には図６におけるＸ−Ｘ断面、Ｙ−Ｙ断面を示す。
【００３５】
ここに、図６では、液体ガイド４の表面に沿って流下する循環液の軌跡を点線で表している。同図のように、液体ガイド４の上部まで汲み上げられた循環液は、液体ガイド４の表面における微小な凹凸や流路抵抗の部分的差異により、直線状でなく不規則な蛇行した筋を形成しながら液体ガイド４の表面上を流下するのであり、これによって優れた装飾効果が発現されるだけでなく、気温の高い夏季などには循環液が蒸発することによる気化熱で室内の空気を冷却し、空気が乾燥する冬季などには室内を加湿することができる。
【００３６】
又、図６および図７から明らかなように、枠体５（サイドフレーム５Ａ）内には液体ガイド４に照明光を照射するための照明用光源２２が組み込まれる。本例において、照明用光源２２はＬＥＤ、それも赤、青、緑の光の合成により発光色を変化させることのできるフルカラーＬＥＤとされる。そして、係る照明用光源２２は、照明スイッチ３Ｂの押圧操作により点灯すると共に、切換スイッチ３Ｃの回転操作により発光色の変換が可能とされる。
【００３７】
図７において、２３は照明用光源２２が導電接続される基板であり、これはサイドフレーム５Ａ内に嵌め込まれる内枠２４に取り付けられる
特に、照明用光源２２はエッジライト方式として、図７のように液体ガイド４の側端面を臨む位置に配される。これにより、照明用光源２２から放射された照明光が液体ガイド４の側端面からその内部に入射し、光透過性を有する液体ガイド４が面状光源として全体的に発光するようにしてある。このため、液体ガイド４の表面上を流下する循環液が照明光に映えて装飾効果が増強される。
【００３８】
尚、図７には照明用光源２２を丸型で示しているが、これをチップ型としてもよいし、フルカラーＬＥＤに代えて２色ＬＥＤ、あるいは単色ＬＥＤを用いてもよく、更には液体ガイド４の端面に沿って蛍光管を配置するようにしてもよい。
【００３９】
又、図７から明らかなように、液体ガイド４と内枠２４との間にはゴム板などから成るシール材２５が介在され、内枠２４とサイドフレーム５Ａとの間には上述の送液管１７が通される構成となっている。
【００４０】
一方、図８から明らかなように、送液管１７の一端側（ノズル管１９）を固定する固定金具２０はトップフレーム５Ｂ内に嵌合され、トップフレーム５Ｂと液体ガイド４の表面との間には、ノズル管から放出された循環液が液体ガイドの表面を這って流下するよう微小な間隙Ｓ２が形成される。
【００４１】
以上、本発明について説明したが、液体ガイド４の表面に、文字や図柄を記したり、図柄等が記された光透過性のシートを貼着したりしてもよく、これによれば店内などに配して宣伝広告の効果が得られる。
【００４２】
又、上記例では液体ガイドを平板状の透光板としたが、これを湾曲した板状部材としてもよいし、あるいは図９のような筒状（図示例において円筒状であるが、そのほか角筒状のものを含む）としてもよい。
【００４３】
更に、上記例では照明用光源を液体ガイドの端面（側端面）に臨む位置に配置したが、照明用光源を、光透過性を有する液体ガイドの上端面あるいは下端面に臨む位置に配置するようにしてもよい。但し、液体ガイドは光透過性を有する透明部材でなくてもよく、この場合でも枠体５の外部に照明用光源を取り付けて、液体ガイド４にその板厚方向から照明光を照射することができる。
【００４４】
尚、図９に示す例において、循環液は筒状を成す液体ガイド４の外表面に沿って流されると共に、照明用光源は当該液体ガイドの上端面または下端面に臨む位置に配置されるが、液体ガイド４が筒状である場合、照明用光源を液体ガイド４の内側に配置するようにしてもよい。
【００４５】
一方、上記例ではポンプ１５を貯液槽１２内に配置する構成としたが、これを液体ガイド４の上部に配置して、その吸込口に接続する管を、枠体５内を通じて貯液槽１２内に導入するようにしてもよい。
【図面の簡単な説明】
【００４６】
【図１】本発明に係るインテリア空調装置を示す斜視図
【図２】同装置の斜視分解図
【図３】同装置を構成する貯液槽内を示す横断面図
【図４】空調用循環液の循環系を示す構成図
【図５】貯液槽内を示す縦断面図
【図６】本発明に係るインテリア空調装置の使用状態を示す正面図
【図７】図６におけるＸ−Ｘ断面図
【図８】図６におけるＹ−Ｙ断面図
【図９】本発明に係るインテリア空調装置の他の実施態様を示す斜視図
【符号の説明】
【００４７】
１  ベース
３  操作スイッチ類
４  液体ガイド
５  枠体
１２  貯液槽
１５  ポンプ
１７  送液管
１８  バルブ
１９  ノズル管
２２  照明用光源
Ｌ  空調用循環液
【図１】
2007085677.tif 000003
【図２】
2007085677.tif 000004
【図３】
2007085677.tif 000005
【図４】
2007085677.tif 000006
【図５】
2007085677.tif 000007
【図６】
2007085677.tif 000008
【図７】
2007085677.tif 000009
【図８】
2007085677.tif 000010
【図９】
2007085677.tif 000011